(57)【特許請求の範囲】
【請求項１】
長尺状のベースと、該ベースの一端部に固定されたアングル型バルブと、前記ベースの他端側に固定されたエルボと、前記アングルバルブと前記エルボとの間に配置されるメータを前記バルブとエルボとに着脱自在に接続、固定する着脱装置とを備え、前記着脱装置は、貫通孔を備え、前記エルボの一方の開口部に回転可能に取付けられた回転部材と、内部に前記回転部材の貫通孔に連通する貫通孔を備え、一端側で前記回転部材に螺合し、他端側において前記貫通孔内に前記メータ側への水の流れを阻止できる逆止弁を備えたスライド部材と、前記スライド部材の回転を阻止する手段とを備えていることを特徴とする、水道用メータユニット。
【請求項２】
請求項１記載のメータユニットにおいて、前記アングル型バルブは、該バルブの内部に収納されたボールから、反対方向に外部へ延びる二本のスピンドルを備え、前記ボールを操作するハンドルがいずれのスピンドルにも取付けが可能となっている、水道用メータユニット。
【請求項３】
請求項１または２に記載のメータユニットにおいて、前記ベースの、前記メータがその上側に配置されることとなる部分の形状が、前記ベースに対して前記メータが、前記バルブと同じ水平に配置された状態から少なくとも９０度回転することを許容する形状となっていることを特徴とする、水道用メータユニット。
【発明の詳細な説明】
【０００１】
【産業状の利用分野】
本発明は、水道用のメータを、その両側に配置されるバルブ等の他の機器に簡単に着脱自在に取り付けることのできるメータユニットに関し、さらに詳細に言えば、設置場所が狭く制限されている場合、例えば集合住宅のパイプシャフト内に設置するのに特に適した水道用メータユニットに関する。
【０００２】
【従来の技術】
集合住宅の場合、例えば階段の踊り場の側壁部に、一戸分或いは複数戸分の水道用メータやガスメータ等が設置される通称パイプシャフトと称される格納スペースが設けられている。
【０００３】
従来、このような狭い格納スペースに水道のメータ、及びその前後に設置する止水栓や逆止弁等を設置する場合、予め施工された一次側及び二次側の配管に対し、それらは全て現場で芯合わせを行いながら、組み合わせて接続するようになっており、この配管に芯ズレが生じている場合には、配管と機器、或いは機器同志を結合する際の袋ナットの締結が容易でない。これは、メータの新規設置の場合のみでなく、数年ごとに行われるメータ交換時も同様である。しかも、狭いスペースでの作業であるので、特にメータ交換時には古くなった配管を作業中に折損してしまう場合もある。
【０００４】
【発明が解決しようとする課題】
本願発明は、上記の点に鑑みなされたものであり、メータとその前後に設置される機器をベースを使用することによりユニット化し、新規設置の場合の芯だし作業等を不要にして作業を容易にし、さらにメータ交換時には、このユニット自体は配管に取り付けたままで、このユニットからメータの着脱を可能として、配管部分には一切手を触れないでメータ交換を行えるようにする、水道用メータユニットを提供しようとすることを目的とする。そして特にこのメータユニットは、該ユニットの両端面間の寸法、所謂面間寸法を最小にでき、きわめて狭いパイプシャフト内でも使用可能なメータユニットを提供することを目的とする。
【０００５】
【課題を解決するために手段】
上記課題を解決するために本発明は以下の構成を備えた水道用メータユニットを提供する。すなわち、長尺状のベースの両端部にアングル型バルブトエルボとを固定する。メータは着脱装置を用いてバルブとエルボの間に着脱自在に取り付けられる。着脱装置は、エルボの一方の開口部に回転可能に取り付けられた、貫通孔を備えた回転部材と、内部に回転部材の貫通孔に連通する貫通孔を備え、一端側で回転部材と螺合し、他端側においてその貫通孔内にメータ側への水の流れを阻止する逆止弁を備えたスライド部材とを備え、さらに、回転部材が回転したときにスライド部材の回転を阻止する手段を設けている。
【０００６】
【実施の形態】
以下、図面に基づき本願発明の具体的実施の形態を説明するが、本願発明の範囲は以下に説明される実施の形態に限定されるのではない。
【０００７】
図１及び図２は、本発明の実施の形態に係るメータユニット１の正面図及び平面図である。メータユニット１は、メータ３、該メータ３の上流側に接続された止水栓としてのアングル型バルブ５、メータ３の下流側に接続されたエルボ７とを備えている。バルブ５とエルボ７はそれぞれ上流側及び下流側の配管に接続されるようになっている。符号９はメータ３を着脱自在に取り付けるための着脱装置であり、これについては後述する。
【０００８】
アングル型バルブ５は、図４に示されるように、内部にボールシート１１に回転自在に保持されたボール１３を備え、このボール１３は内部にＬ字状即ちアングル状の流路１５が形成されており、このボール１３を、このボール１３から外部へ延びているスピンドル１７（図２参照）に取り付けたハンドル１９で図４中の矢印の方向に回転させることにより、その流路の両端開口２１、２３をバルブ本体の開口２５、２７に整合させたり、或いは外したりして、開口２５、２７の間の連通を開閉するものである。開口２７にはメータ３の一端面が当接される当接面２６が形成されており、またその下方にはメータ３を受け止めるための受け部２８が設けられている。符号２４はシールリングである。なお、図２から明らかなように、本実施の態様におけるアングル型バルブ５は、スピンドル１７とは反対側に延びるもう一本のスピンドル１８を備えており、ハンドル１９は、必要に応じていずれのスピンドルに取り付けることも可能になっている。
【０００９】
符号３１は、これらメータ３、アングルバルブ５、エルボ７をユニット化するための長尺状のベースである。本実施の態様においては図示のように、アングルバルブ５は一方の開口２５が上方を向いた状態で、エルボ７も一方の開口４１が上方を向いた状態でベース３１に固定されている。アングルバルブ５の下部にはボス２９が形成されており、このボス２９には雌ねじが刻設され、ボルト３０によりベース３１に固定されている。同様に、エルボ７の下部にもボス４５が形成されており、このボス４５には雌ねじが刻設され、ボルト４６によりベース３１に固定されている。なお、ベース３１は、メータ３の下方においてメータ３との間が十分な距離Ｈとなるように形状が定められている。このように構成されたメータユニット１は、例えばアンカーボルト３２を使用してパイプシャフトの床Ａに取り付けられる。
【００１０】
図３は、エルボ７及び着脱装置９の構成の詳細を示す断面図である。エルボ７は公知のとおり、略Ｌ字状をした中空管である。そして上方に向いた開口４１の反対側の開口端部４３に後述の着脱装置９が取り付けられている。
【００１１】
着脱装置９は、エルボ７の開口端部４３に取り付けられる回転部材としての中空のロックナット５１を備えている。すなわち、ロックナット５１は内方フランジ５３を備え、この内方フランジ５３と、その一端側に形成された内周溝に嵌まる取付けリング５５により、エルボ７の開口端部４３の外周側に形成された外方フランジ４７に、抜け止めされた状態で回転可能に取り付けられている。そしてロックナット５１の反対側の内周部には雌ねじ５７が形成されている。ロックナット５１はその外周側に把手或いは摘み５９を備え、この把手５９を用いて回転させることが出来る。
【００１２】
符号６１は中空のスライドホルダであり、小径部６３と大径部６５とを備える。小径部６３の端部はエルボ７の開口端部４３内に、シールリング６７により液密に保たれて摺動自在に挿入されている。大径部６５の小径部６３寄りの外周には、ロックナット５１の雌ねじ５７に螺合する雄ねじ６９が形成されている。
【００１３】
スライドホルダ６１の大径部６５の内部には、カートリッジ式逆止弁７１が組み込まれている。このカートリッジ式逆止弁７１は枠体７３を備え、この枠体７３は、後述の弁体９１の案内部となる軸７５を備えた中央の基部７７、この基部７７から径方向外方へ延びる複数本のリブ７９、該リブ７９の外端部に接続する円環部８１、該円環部８１から軸方向に延びる複数本のリブ８３、該リブ８３の端部に接続する円環部８５とを備えている。そして円環部８５には金属製のリング８７を一体にモールドした弁座８９が取り付けられている。すなわちこの枠体７３は、リブ７９、８３の間を水が流れることができる非閉鎖型である。この枠体７３の中には、軸７５に案内されて、弁体９１が配置され、バネ９３により弁座８９に向けて付勢されている。スライドホルダ６１の大径部６５はこの逆止弁７１の弁筐或いはケースを提供し、大径部６５と小径部６３との間の肩部６６により逆止弁７１は受け止められている。
【００１４】
符号９５は、スライドホルダ６１の大径部６５の端部に螺合して取り付けられた押さえ部材で、図示のように逆止弁７１をスライドホルダ６１の大径部６５内に保持している。押さえ部材９５の反対側はメータ３の一端部に当接する当接面９７となっており、その下部にはメータ３を受け止めるための受け部９９が設けられている。符号１０１はシールリングである。押さえ部材９５の上部外周には軸方向の溝１０３が形成されており、後述の止めボルト１１１の先端を受け入れるようになっている。
【００１５】
符号１０５は押さえ部材９５、従ってスライドホルダ６１の回転を阻止し、軸方向運動を行うよう案内するためのスライドガイドである。スライドガイド１０５はボルト１０７によりベース３１に固定された筒状の部材である。押さえ部材９５の円筒部の下面側は部分的にカットされて平面部１００を形成し、この平面部１００は、スライドガイド１０５の円筒部の外端部内周面側に形成された平面部１０７に沿って摺動するようになっている。スライドガイド１０５の上側にはネジ孔１０９が設けられ、ここに螺合された止めボルト１１１の先端が先述の押さえ部材９５の溝１０３に嵌入し、必要に応じて押さえ部材９５をスライドガイド１０５に固定する。
【００１６】
上記構成からなるメータユニット１においては、ベース３１にアングル型バルブ５、エルボ７、着脱装置９を取り付け、アングル型バルブ５の受け部２８と押さえ部材９５の受け部９９にメータ３の両端部を載せて、ロックナット５１を一方向に回転させることにより、スライドホルダ６１を図３において左方へ移動させ、押さえ部材９５を介してメータ３をアングル型バルブ５に押しつけて取り付け、ユニットにすることが出来る。緩み止めのためにボルト１１１を締めつける。逆の作業を行うことにより、メータ３を取り外すことが出来る。
【００１７】
なお、前述のように、ベース３１とメータ３との間の間隔Ｈは、メータ３を９０度回転してもベース３１に当たらないように設定されている。従って、配管の都合上から、このメータユニット１をパイプシャフトの壁面に取り付ける必要が生じても、メータ３は水平の状態で設置することができる。水道用のメータは、一般的には水平に設置することを前提として作られている。傾けて使用したりすると、内部の回転部材或いはその軸受け等が損傷する可能性があり、本発明によればその様な不都合は回避できる。
【００１８】
なお、上記実施の形態に代えて、スライドガイドで直接スライドホルダを案内するように構成することも可能である。また、押さえ部材として、スライドホルダの内周面に形成した円周溝に取付けリングを配置する構成も採用可能である。
【００１９】
【発明の効果】
以上説明したように、本発明によれば、従来設置現場で接続されていたメータとバルブとが、メータユニットとして一体化して提供されるので、パイプシャフトの如き狭い場所でのメータ、バルブの取付け作業がきわめて容易になる。特に下流側に配置されるエルボに着脱装置を取り付け、この着脱装置のスライド部材の中に逆止弁を組み込む構成としたので、このユニットの両端面間の寸法、面間寸法を最小にすることが可能となり、狭いパイプシャフト内に設置するのにきわめて好都合である。またメータはエルボ側からバルブ側へ押圧して取り付けるようになっているので、メータ交換作業が簡単に行え、しかも配管を損傷する危険性も少なくなる。また、メータが９０度回転した状態でも取り付けられるので、メータを水平に配置しながら、このユニットをパイプシャフトの壁面へ取り付けることも可能である。さらには、バルブの底部にボスを形成し、この部分においてベースに固定するようにしたので、ベースの幅を最小にすることができ、狭いスペースでの複数個のメータユニットの取付けが可能になっている。
【００２０】
アングル型バルブのスピンドルを両側に設け、ハンドルをそのいずれにも取り付けることが出来るようにすると、壁の隅の部分にこのユニットを設置する場合等、操作しやすい方にハンドルを取り付けることが出来、好都合である。
【図面の簡単な説明】
【図１】本発明の実施の形態に係るメータユニットの構成を示す正面図である。
【図２】本発明の実施の形態に係るメータユニットの構成を示す平面図である。
【図３】エルボと着脱装置の詳細を示す一部切り欠き部分断面図である
【図４】アングル型バルブの部分の詳細を示す一部切り欠き部分断面図である
【符号の説明】
１  メータユニット
３  メータ
５  アングル型バルブ
７  エルボ
９  着脱装置
３１  ベース
２９、４５  ボス
３０、４６  ボルト
５１  ロックナット（回転部材）
６１  スライドホルダ（スライド部材）
７１  逆止弁
９５  押さえ部材
１０５  スライドガイド（回転阻止手段）
【図１】
0003624052.tif 000002
【図２】
0003624052.tif 000003
【図３】
0003624052.tif 000004
【図４】
0003624052.tif 000005